(57)【要約】【課題】簡素な構造で、光源装置を効率的に冷却でき、かつ、外部への漏れ光を防止できるプロジェクタを提供する。【解決手段】プロジェクタを構成する光源装置４１において、ランプハウジング４１３は、光源装置本体４１１の光射出後方側、および対向する各端面側をそれぞれ平面的に覆う平面視略コ字形状を有する第１ハウジング部４１６と、光源装置本体４１１を平面的に覆う平面形状を有し、第１ハウジング部４１６に接続する第２ハウジング部４１７とを備える。第１ハウジング部４１６および第２ハウジング部４１７は、互いに接続した状態で、第１ハウジング部４１６における第２ハウジング部４１７に近接する側の端部の一部が第２ハウジング部４１７に対して光源装置本体４１１から離間する方向にずれた位置に位置付けられ、光軸に略直交する方向に沿ってランプハウジング４１３内外に貫通した空気流通開口部４１５Ａを有する。【選択図】図１０
2008076861.tif 000002
【特許請求の範囲】
【請求項１】
光源装置と、前記光源装置から射出された光束を画像情報に応じて変調する光変調装置と、前記変調された光束を拡大投射する投射光学装置と、前記光源装置、前記光変調装置、および前記投射光学装置を内部に収納配置する外装筺体とを備えたプロジェクタであって、
前記光源装置は、光源ランプ、および前記光源ランプから放射された光束を一定方向に揃えて射出するリフレクタを有する光源装置本体と、前記光源装置本体を支持するランプハウジングとを備え、
前記ランプハウジングは、
前記光源装置本体の光射出後方側を平面的に覆う後方側壁部、および前記光源装置本体から射出される光束の光軸に沿って延出し前記光源装置本体の対向する各端面側を平面的に覆う一対の対向側壁部を備えた平面視略コ字形状を有し、前記光軸に略直交する方向から前記光源装置本体をコ字状内側部分に挿通可能とする第１ハウジング部と、
前記光源装置本体における前記第１ハウジング部への挿通方向に交差する端面側を平面的に覆う平面形状を有し、前記第１ハウジング部に接続する第２ハウジング部とを備え、
前記第１ハウジング部および前記第２ハウジング部は、互いに接続した状態で、前記第１ハウジング部における前記第２ハウジング部に近接する側の端部の一部が前記第２ハウジング部に対して前記光源装置本体から離間する方向にずれた位置に位置付けられ、前記挿通方向に沿って前記ランプハウジング内外に貫通した空気流通開口部を有することを特徴とするプロジェクタ。
【請求項２】
請求項１に記載のプロジェクタにおいて、
前記外装筺体には、前記第２ハウジング部の配設側とは反対側の端面において、前記光源装置の配設位置に対応した位置に、前記ランプハウジングから前記光源装置本体を着脱可能とするランプ交換用開口部が形成され、
前記ランプ交換用開口部を閉塞可能とするランプ交換用蓋体を備え、
前記第１ハウジング部は、前記第２ハウジング部に離間する側の端部が前記外装筺体における前記ランプ交換用開口部周縁に近接配置されていることを特徴とするプロジェクタ。
【請求項３】
請求項１または請求項２に記載のプロジェクタにおいて、
前記外装筺体には、前記第２ハウジング部の配設側とは反対側の端面において、前記光源装置の配設位置に対応した位置に、前記ランプハウジングから前記光源装置本体を着脱可能とするランプ交換用開口部が形成され、
前記ランプ交換用開口部を閉塞可能とするランプ交換用蓋体を備え、
前記ランプ交換用蓋体は、前記ランプ交換用開口部を閉塞可能とする蓋体本体と、前記蓋体本体における前記光源装置本体に対向する端面に対して所定の隙間を有するように取り付けられ前記光源装置本体からの放射熱を緩衝する熱緩衝部材とを備え、前記蓋体本体と前記熱緩衝部材との隙間を介して空気を流通可能とする蓋体空気流通路を有していることを特徴とするプロジェクタ。
【請求項４】
請求項３に記載のプロジェクタにおいて、
前記空気流通開口部近傍に配設され、前記空気流通開口部を介して前記ランプハウジング内部の空気を吸入して吐出する冷却ファンを備え、
前記蓋体空気流通路は、前記冷却ファンにおける空気の吸入方向に沿う方向に空気を流通可能に形成されていることを特徴とするプロジェクタ。
【請求項５】
請求項１から請求項４のいずれかに記載のプロジェクタにおいて、
前記ランプハウジングは、前記光源装置本体を支持する第３ハウジング部を備え、
前記第３ハウジング部は、前記リフレクタの光射出前方側端部を支持し前記リフレクタの光射出前方側端部から光射出前方側に延出して内部に空間を有する筒状の第３ハウジング本体と、前記光源装置本体を挟んで前記第２ハウジング部に対向するように延出する延出部とを備え、
前記第３ハウジング本体には、前記空間に空気を導入するための導入口と、前記空間の空気を外部に排出するための排出口とが形成され、
前記第１ハウジング部は、前記光源装置本体を支持した前記第３ハウジング部の光射出後方側、および対向する各端面側を平面的に覆うように形成され、
前記第２ハウジング部は、前記光源装置本体を支持した前記第３ハウジング部における前記第１ハウジング部への挿通方向に交差する端面側を平面的に覆うように形成されていることを特徴とするプロジェクタ。
【請求項６】
請求項１から請求項５のいずれかに記載のプロジェクタにおいて、
前記第１ハウジング部および前記第２ハウジング部は、互いに接続した状態で、前記第１ハウジング部の前記後方側壁部における前記第２ハウジング部に近接する側の端部の少なくとも一部が前記第２ハウジング部に対して前記光源装置本体から離間する方向にずれた位置に位置付けられ、前記挿通方向に沿って前記ランプハウジング内外に貫通した前記空気流通開口部を有することを特徴とするプロジェクタ。
【請求項７】
請求項１から請求項６のいずれかに記載のプロジェクタにおいて、
前記第２ハウジング部には、前記第１ハウジング部に向けて突出する起立片が形成され、
前記第１ハウジング部および前記第２ハウジング部は、互いに接続した状態で、前記第１ハウジング部における前記第２ハウジング部に近接する側の端部の一部が前記第２ハウジング部の前記起立片に対して前記光源装置本体から離間する方向にずれた位置に位置付けられ、前記挿通方向に沿って前記ランプハウジング内外に貫通した前記空気流通開口部を有することを特徴とするプロジェクタ。
【発明の詳細な説明】
【技術分野】
【０００１】
本発明は、プロジェクタに関する。
【背景技術】
【０００２】
従来、光源から射出された光束を画像情報に応じて変調して光学像を形成し、該光学像を拡大投射するプロジェクタが知られている。
このようなプロジェクタの光源装置としては、光源ランプおよびリフレクタを有する放電発光型の光源装置本体と、光源装置本体を内部に収納するランプハウジングとを備えた構成が多用される。
近年では、高精細な投影画像を得るために、光源の高輝度化が図られている。そして、このような構成では、光源装置が高温になりやすく、さらには、光源装置の熱が外装筺体に伝達して外装筺体が高温になりやすい。このため、光源装置の冷却効率を向上させる技術が要望されている。
従来の光源装置の冷却構造としては、以下の構造が提案されている（例えば、特許文献１参照）。
特許文献１に記載の冷却構造では、光源装置本体（光源ランプ）の周囲を囲むランプハウジング（ランプケース部材）に光源ランプの両側面に対応する形で開口部を形成し、各開口部に対向する形でランプ冷却ファンおよび排気ファンを配置している。そして、ランプ冷却ファンから吐出された空気を光源装置本体（発光管およびリフレクタ）に送風し、光源装置本体を介した空気を排気ファンにて吸入し、外装筺体に形成された排気口から外部に排出して、光源装置を冷却している。
【０００３】
【特許文献１】特開２００６−８４９７２号公報
【発明の開示】
【発明が解決しようとする課題】
【０００４】
しかしながら、特許文献１に記載の冷却構造では、ランプハウジングには、光源装置本体の両側面に対応する形で開口部が形成されているので、光源ランプから射出された光の一部が開口部を介してランプハウジング外部に漏れやすい構造である。すなわち、ランプハウジング外部に漏れた光が排気ファンを介して排気口から外部に漏れ、投影画像を観賞する観賞者に不快感を与えるおそれがある。
ここで、特許文献１に記載の冷却構造では、プロジェクタ外部に光が漏れることを防止するために、開口部および排気ファンの間に板状のランプ排気遮光マスクを配設している。しかしながら、ランプハウジングの開口部から排気ファンに向けて空気を流通させるためにランプ排気遮光マスクにも開口部を設けているため、プロジェクタ外部に光が漏れることを効果的に防止できる構造とはいえない。また、ランプハウジングとは別部材であるランプ排気遮光マスクを用いる必要があるため、プロジェクタの構造が複雑化し、組立作業が煩雑化してしまう。
このため、簡素な構造で、光源装置を効率的に冷却でき、かつ、外部への漏れ光を防止できる技術が要望されている。
【０００５】
本発明の目的は、簡素な構造で、光源装置を効率的に冷却でき、かつ、外部への漏れ光を防止できるプロジェクタを提供することにある。
【課題を解決するための手段】
【０００６】
本発明のプロジェクタは、光源装置と、前記光源装置から射出された光束を画像情報に応じて変調する光変調装置と、前記変調された光束を拡大投射する投射光学装置と、前記光源装置、前記光変調装置、および前記投射光学装置を内部に収納配置する外装筺体とを備えたプロジェクタであって、前記光源装置は、光源ランプ、および前記光源ランプから放射された光束を一定方向に揃えて射出するリフレクタを有する光源装置本体と、前記光源装置本体を支持するランプハウジングとを備え、前記ランプハウジングは、前記光源装置本体の光射出後方側を平面的に覆う後方側壁部、および前記光源装置本体から射出される光束の光軸に沿って延出し前記光源装置本体の対向する各端面側を平面的に覆う一対の対向側壁部を備えた平面視略コ字形状を有し、前記光軸に略直交する方向から前記光源装置本体をコ字状内側部分に挿通可能とする第１ハウジング部と、前記光源装置本体における前記第１ハウジング部への挿通方向に交差する端面側を平面的に覆う平面形状を有し、前記第１ハウジング部に接続する第２ハウジング部とを備え、前記第１ハウジング部および前記第２ハウジング部は、互いに接続した状態で、前記第１ハウジング部における前記第２ハウジング部に近接する側の端部の一部が前記第２ハウジング部に対して前記光源装置本体から離間する方向にずれた位置に位置付けられ、前記挿通方向に沿って前記ランプハウジング内外に貫通した空気流通開口部を有することを特徴とする。
【０００７】
本発明によれば、ランプハウジングを上述したように構成することにより、第１ハウジング部および第２ハウジング部の２体を組み合わせるだけで、ランプハウジング内外に空気を流通可能とする空気流通開口部を容易に構成できる。そして、空気流通開口部を介してランプハウジング内外に空気を流通させることで、ランプハウジング内部の光源装置本体（光源ランプおよびリフレクタ）を効率的に冷却できる。
また、空気流通開口部は、第１ハウジング部の端部の一部と第２ハウジング部とがずれた状態で接続することにより形成された隙間であり、第１ハウジング部への光源装置本体の挿通方向に沿ってランプハウジング内外に貫通するように構成される。すなわち、空気流通開口部は、光源装置本体から射出される光束の光軸に略平行した開口として構成される（光源装置本体から射出される光束の光軸に沿ってランプハウジング外部から空気流通開口部を見た場合に、ランプハウジング内部が見えないように構成されている）。このことにより、光源装置本体から射出された光束の一部は、空気流通開口部の周縁部分（第１ハウジング部および第２ハウジング部）にて遮光されることとなり、空気流通開口部を介してランプハウジング外部に漏れることがない。すなわち、外装筺体外部に光が漏れることを防止でき、投影画像を観賞する観賞者に不快感を与えるおそれがない。
したがって、ランプハウジングを第１ハウジング部および第２ハウジング部の２体の簡素な構造としつつ、光源装置を効率的に冷却でき、かつ、外部への漏れ光を防止でき、本発明の目的を達成できる。
【０００８】
本発明のプロジェクタでは、前記外装筺体には、前記第２ハウジング部の配設側とは反対側の端面において、前記光源装置の配設位置に対応した位置に、前記ランプハウジングから前記光源装置本体を着脱可能とするランプ交換用開口部が形成され、前記ランプ交換用開口部を閉塞可能とするランプ交換用蓋体を備え、前記第１ハウジング部は、前記第２ハウジング部に離間する側の端部が前記外装筺体における前記ランプ交換用開口部周縁に近接配置されていることが好ましい。
本発明では、第１ハウジング部は、第２ハウジング部に離間する側の端部がランプ交換用開口部周縁に近接配置されている。このことにより、例えば、光源装置本体を交換する際等において、ランプ交換用蓋体をランプ交換用開口部から外した状態で、ランプ交換用開口部を介して、外装筐体外部から外装筺体内部における光源装置以外の部材に塵埃等が入り込むことを防止できる。また、上記の状態で、利用者が、ランプ交換用開口部を介して外装筺体内部における光源装置以外の部材に手を触れることを防止でき、光源装置以外の部材に手を触れることによるプロジェクタの不具合を防止できる。さらに、プロジェクタの駆動時において、光源装置以外の領域から、ランプ交換用開口部およびランプ交換用蓋体に向かう光を第１ハウジング部にて遮光でき、ランプ交換用開口部およびランプ交換用蓋体の隙間からプロジェクタ外部に光が漏れることを防止できる。
【０００９】
本発明のプロジェクタでは、前記外装筺体には、前記第２ハウジング部の配設側とは反対側の端面において、前記光源装置の配設位置に対応した位置に、前記ランプハウジングから前記光源装置本体を着脱可能とするランプ交換用開口部が形成され、前記ランプ交換用開口部を閉塞可能とするランプ交換用蓋体を備え、前記ランプ交換用蓋体は、前記ランプ交換用開口部を閉塞可能とする蓋体本体と、前記蓋体本体における前記光源装置本体に対向する端面に対して所定の隙間を有するように取り付けられ前記光源装置本体からの放射熱を緩衝する熱緩衝部材とを備え、前記蓋体本体と前記熱緩衝部材との隙間を介して空気を流通可能とする蓋体空気流通路を有していることが好ましい。
本発明によれば、ランプ交換用蓋体は、蓋体本体および熱緩衝部材を備えているので、光源装置本体からランプ交換用蓋体への放射熱を熱緩衝部材が受けることとなり、蓋体本体への熱の伝達を抑制できる。
また、ランプ交換用蓋体は、蓋体本体および熱緩衝部材に所定の隙間が設定され、該隙間を介して空気を流通可能とする蓋体空気流通路を有する。このことにより、蓋体空気流通路を辿って空気を流通させることで、光源装置本体からの放射熱により温度が上昇した熱緩衝部材を冷却することができるとともに、熱緩衝部材から伝達された熱による蓋体本体の温度上昇も効果的に低減できる。
【００１０】
本発明のプロジェクタでは、前記空気流通開口部近傍に配設され、前記空気流通開口部を介して前記ランプハウジング内部の空気を吸入して吐出する冷却ファンを備え、前記蓋体空気流通路は、前記冷却ファンにおける空気の吸入方向に沿う方向に空気を流通可能に形成されていることが好ましい。
本発明では、冷却ファンは、空気流通開口部近傍に配設され、空気流通開口部を介してランプハウジング内部の空気を吸入して吐出する。このことにより、冷却ファンにより空気流通開口部を介してランプハウジング内部の空気を吸入することで、光源装置本体により温められた空気がランプハウジング内部に滞留することがなく、光源装置本体を良好に冷却できる。
また、蓋体空気流通路は、冷却ファンにおける空気の吸入方向に沿う方向に空気を流通可能に形成されている。このことにより、冷却ファンの駆動により、空気流通開口部を介してランプハウジング内部の空気を吸入するとともに、蓋体空気流通路を辿って空気を流通させることができ、光源装置本体およびランプ交換用蓋体の双方を一括して冷却できる。
【００１１】
本発明のプロジェクタでは、前記ランプハウジングは、前記光源装置本体を支持する第３ハウジング部を備え、前記第３ハウジング部は、前記リフレクタの光射出前方側端部を支持し前記リフレクタの光射出前方側端部から光射出前方側に延出して内部に空間を有する筒状の第３ハウジング本体と、前記光源装置本体を挟んで前記第２ハウジング部に対向するように延出する延出部とを備え、前記第３ハウジング本体には、前記空間に空気を導入するための導入口と、前記空間の空気を外部に排出するための排出口とが形成され、前記第１ハウジング部は、前記光源装置本体を支持した前記第３ハウジング部の光射出後方側、および対向する各端面側を平面的に覆うように形成され、前記第２ハウジング部は、前記光源装置本体を支持した前記第３ハウジング部における前記第１ハウジング部への挿通方向に交差する端面側を平面的に覆うように形成されていることが好ましい。
【００１２】
本発明では、ランプハウジングは、第１ハウジング部および第２ハウジング部の他、導入口および排出口を有する筒状の第３ハウジング本体、および延出部を有する第３ハウジング部を備える。そして、第１ハウジング部および第２ハウジング部は、光源装置本体を支持した第３ハウジング部の光射出後方側、対向する各端面側、および第１ハウジング部への挿通方向に交差する端面側を平面的に覆うように形成されている。このことにより、第１ハウジング部、第２ハウジング部、および第３ハウジング部における延出部によって、光源装置本体を囲み、光源装置本体から射出された光束の一部がランプハウジング外部に漏れることを確実に防止できる。また、第３ハウジング本体は、導入口を介して内部に空気を流通させ、排出口を介して内部の空気を外部に排出できるので、内部に配置される光源ランプ、およびリフレクタ（光射出前方側の反射面等）を、流通する空気により効率的に冷却できる。さらに、第３ハウジング部が第１ハウジング部および第２ハウジング部により覆われているので、第３ハウジング本体内部から排出口を介して排出された空気を、第１ハウジング部および第２ハウジング部にて構成される空気流通開口部を介してランプハウジング外部に排出できる。すなわち、第１ハウジング部および第２ハウジング部をダクトとして機能させ、第３ハウジング本体内部から排出口を介して排出された空気を所定位置（空気流通開口部）に導くことができ、別途、ダクト部材を設ける必要がない。
【００１３】
本発明のプロジェクタでは、前記第１ハウジング部および前記第２ハウジング部は、互いに接続した状態で、前記第１ハウジング部の前記後方側壁部における前記第２ハウジング部に近接する側の端部の少なくとも一部が前記第２ハウジング部に対して前記光源装置本体から離間する方向にずれた位置に位置付けられ、前記挿通方向に沿って前記ランプハウジング内外に貫通した前記空気流通開口部を有することが好ましい。
本発明では、空気流通開口部は、第１ハウジング部および第２ハウジング部における光射出後方側の部位に形成されている。すなわち、空気流通開口部は、光源装置本体におけるリフレクタの光射出後方側に位置する。このことにより、例えば、ランプハウジングの構成として、第１ハウジング部および第２ハウジング部の他、上述した第３ハウジング部を用いた構成とすれば、第３ハウジング本体内部に空気を流通させることで光源ランプとリフレクタ（光射出前方側の反射面等）とを良好に冷却できるとともに、空気流通開口部を介してリフレクタの光射出後方側の空気をランプハウジング外部に排出することでリフレクタ（光射出後方側の反射面と反対側の面等）を良好に冷却できる。したがって、光源装置本体をより効率的に冷却できる。
【００１４】
本発明のプロジェクタでは、前記第２ハウジング部には、前記第１ハウジング部に向けて突出する起立片が形成され、前記第１ハウジング部および前記第２ハウジング部は、互いに接続した状態で、前記第１ハウジング部における前記第２ハウジング部に近接する側の端部の一部が前記第２ハウジング部の前記起立片に対して前記光源装置本体から離間する方向にずれた位置に位置付けられ、前記挿通方向に沿って前記ランプハウジング内外に貫通した前記空気流通開口部を有することが好ましい。
本発明では、第２ハウジング部には起立片が形成されている。また、空気流通開口部は、第１ハウジング部の端部の一部と第２ハウジング部の起立片とがずれた状態で接続することにより形成された隙間で構成される。このことにより、例えば起立片を設けない構成と比較して、光源装置本体から射出される光束の光軸に近接した位置に空気流通開口部を位置付けることができ、ランプハウジング内部の空気が滞留することなく空気流通開口部を介してランプハウジング外部に効率的に排出することができ、光源装置本体をさらに一層効率的に冷却できる。
【発明を実施するための最良の形態】
【００１５】
以下、本発明の実施の一形態を図面に基づいて説明する。
〔外観構成〕
図１は、プロジェクタ１の外観を示す斜視図である。具体的に、図１は、プロジェクタ１を背面上方側から見た斜視図である。図１では、説明の便宜上、光学像の投射方向をＺ軸とし、該Ｚ軸に直交する２軸をそれぞれＸ軸（水平軸）およびＹ軸（垂直軸）とする。以下の図面も同様である。
プロジェクタ１は、光源から射出された光束を画像情報に応じて変調して光学像を形成し、形成した光学像をスクリーン（図示略）上に拡大投射するものである。このプロジェクタ１は、図１に示すように、略直方体状の外装筺体２、およびこの外装筺体２から露出する投射光学装置としての投射レンズ３を備える。
投射レンズ３は、筒状の鏡筒内に複数のレンズが収納された組レンズとして構成され、プロジェクタ１の装置本体により画像情報に応じて変調された光学像を拡大投射する。この投射レンズ３は、複数のレンズの相対位置を変更するレバー３Ａ（図１）を備え、投射される光学像のフォーカス調整および倍率調整可能に構成されている。
【００１６】
外装筺体２は、合成樹脂製の筺体であり、プロジェクタ１の装置本体を収納する。この外装筺体２は、図１に示すように、装置本体の上部部分、前面部分の一部、側面部分の一部、および背面部分の一部を覆うアッパーケース２１と、装置本体の下部部分、前面部分の一部、側面部分の一部、および背面部分の一部を覆うロアーケース２２とを備える。
アッパーケース２１の前面部分において、＋Ｘ軸方向側（前方から見て右側）には、具体的な図示は省略するが、円孔が形成され、前記円孔を介して投射レンズ３の先端部分が露出する。すなわち、前記円孔を介して投射レンズ３から光学像が拡大投射されてスクリーン上に投影される。
【００１７】
アッパーケース２１の上面部分において、＋Ｘ軸方向側には、図１に示すように、外装筺体２の内部側に窪む凹部２１１が形成され、凹部２１１の底部分に内部と貫通する開口部２１１Ａを有している。そして、この開口部２１１Ａを介して、投射レンズ３のレバー３Ａが露出し、レバー３Ａの操作が可能となる。
また、アッパーケース２１の上面部分において、凹部２１１の−Ｚ軸方向側（背面側）には、図１に示すように、プロジェクタ１の起動・調整操作を実施する操作パネル２１２が左右方向に延びるように設けられている。操作パネル２１２の操作ボタン２１２Ａを適宜押下すると、操作ボタン２１２Ａ内部に配置される図示しない回路基板に実装されたタクトスイッチと接触し、所望の操作が可能となる。
なお、前述した操作パネル２１２の回路基板は、後述する制御基板と電気的に接続され、操作ボタン２１２Ａの押下に伴う操作信号は、制御基板に出力される。
【００１８】
さらに、アッパーケース２１の上面部分において、操作パネル２１２の−Ｘ軸方向側（前方から見て左側）には、図１に示すように、平面視矩形状の蓋体設置用凹部２１３が形成され、該蓋体設置用凹部２１３に着脱自在に平面視矩形板状のランプ交換用蓋体２１４が取付けられている。
図２および図３は、ランプ交換用蓋体２１４をアッパーケース２１から取り外した状態を拡大した斜視図である。
蓋体設置用凹部２１３は、外装筺体２内部の装置本体を構成する後述する光源装置の配設位置に対応して設けられている。そして、蓋体設置用凹部２１３の底部分には、図２または図３に示すように、前記光源装置を構成する後述するインナーハウジングの平面形状に対応した形状を有し、外装筺体２内部に前記光源装置を構成する後述するランプユニットを着脱可能とするランプ交換用開口部２１３Ａが形成されている。そして、ランプ交換用蓋体２１４をアッパーケース２１から取り外した場合には、図２または図３に示すように、ランプ交換用開口部２１３Ａを介して、前記光源装置の一部が露出する。
【００１９】
図４は、ランプ交換用蓋体２１４の構成を示す斜視図である。具体的に、図４は、ランプ交換用蓋体２１４の裏面（−Ｙ軸方向端面）を後方側から見た斜視図である。
ランプ交換用蓋体２１４は、蓋体設置用凹部２１３に設置することで、ランプ交換用開口部２１３Ａを閉塞する。このランプ交換用蓋体２１４は、図４に示すように、蓋体本体２１４１と、熱緩衝部材２１４２とで構成される。
蓋体本体２１４１は、図４に示すように、蓋体設置用凹部２１３に着脱自在とし、蓋体設置用凹部２１３に対応した形状を有する板体２１４１Ａと、板体２１４１Ａの裏面に形成された一対のリブ２１４１Ｂ，２１４１Ｃとで構成されている。
一対のリブ２１４１Ｂ，２１４１Ｃは、図４に示すように、ランプ交換用蓋体２１４を蓋体設置用凹部２１３に設置した状態で、外装筺体２内部に配置される前記光源装置の前記インナーハウジングを平面的に囲むように板体２１４１Ａの裏面に一体的に形成されている。
【００２０】
熱緩衝部材２１４２は、金属材料（例えば、マグネシウム、アルミニウム、チタン、あるいはこれらの一部を含んだ合金等）で構成された板体であり、図４に示すように、蓋体本体２１４１の裏面における前記光源装置本体に対向する部分に配設されている。より具体的に、熱緩衝部材２１４２は、図４に示すように、＋Ｚ軸方向側に位置するリブ２１４１Ｂの先端部分、および−Ｚ軸方向側に位置するリブ２１４１Ｃの先端部分の間に架設され、板体２１４１Ａとの間に所定の隙間を有するように配設されている。
そして、ランプ交換用蓋体２１４には、図４に示すように、板体２１４１Ａの裏面、一対のリブ２１４１Ｂ，２１４１Ｃ間、および、熱緩衝部材２１４２で囲まれる第６の空間Ｃ６に空気を流通可能とする蓋体空気流通路Ｃ６が形成される。
ここで、蓋体空気流通路Ｃ６は、図４に示すように、＋Ｘ軸方向側に空気を導入する導入口Ｃ６Ａが形成され、−Ｘ軸方向側に空気を導入する排出口Ｃ６Ｂが形成され、＋Ｘ軸方向側から−Ｘ軸方向側に向けて空気を流通するように構成されている。
【００２１】
また、アッパーケース２１における上面部分において、蓋体設置用凹部２１３の＋Ｚ軸方向側には、図１に示すように、プロジェクタ１外部に音声を出力するためのスピーカ孔２１５が形成されている。このスピーカ孔２１５の内側には、前記制御基板により制御され、所定の音声を出力するスピーカ２１６（図５参照）が配置されている。
【００２２】
さらに、アッパーケース２１における−Ｘ軸方向側の側面部分において、−Ｚ軸方向側には、図１に示すように、外装筺体２の内外を連通する排気口２１７が形成されている。この排気口２１７は、前記光源装置の光射出後方側に対応して形成され、前記光源装置にて温められた空気等、外装筺体２内部の空気を外部に排出するための開口である。
ロアーケース２２における−Ｘ軸方向側の側面部分において、−Ｚ軸方向側には、図１に示すように、外装筺体２の内外を連通する排気口２２１が形成されている。この排気口２２１は、アッパーケース２１に形成された排気口２１７と同様に、前記光源装置の光射出後方側に対応して形成され、前記光源装置にて温められた空気等、外装筺体２内部の空気を外部に排出するための開口である。
【００２３】
また、ロアーケース２２の背面部分には、図１に示すように、複数の孔２２２が形成され、これら複数の孔２２２を介して、外部の電子機器からの画像信号、音声信号等を入力するための複数の接続端子２２３が外部に露出している。この背面部分の内側には、接続端子２２３から入力される信号を処理する図示しないインターフェース基板が配置されている。
なお、前記インターフェース基板は、前記制御基板と電気的に接続され、前記インターフェース基板にて処理された信号は、制御基板に出力される。
【００２４】
〔内部構成〕
図５は、プロジェクタ１の内部構成を示す図である。具体的に、図５は、図１の状態からアッパーケース２１を取り外した状態を示す図である。
外装筺体２の内部には、図５に示すように、プロジェクタ１の装置本体が収容されおり、この装置本体は、光学ユニット４と、冷却装置５と、電源ユニット６と、制御基板７等を備える。
【００２５】
〔光学ユニットの構成〕
図６は、光学ユニット４の光学系を模式的に示す平面図である。
光学ユニット４は、制御基板７による制御の下、画像情報に応じて画像光を形成するものであり、図６に示すように、外装筺体２の−Ｘ軸方向側の側面部分から＋Ｘ軸方向側の側面部分に向けてＸ軸方向に延出し、＋Ｘ軸方向端部が＋Ｚ軸方向に屈曲して延出する平面視略Ｌ字形状を有している。この光学ユニット４は、図６に示すように、光源装置４１と、均一照明光学装置４２と、色分離光学装置４３と、リレー光学装置４４と、光学装置４５と、光学部品用筐体４６とを備える。
【００２６】
光源装置４１は、制御基板７による制御の下、点灯して平行光を均一照明光学装置４２に向けて射出する。この光源装置４１は、図６に示すように、光源ランプ４１１１およびリフレクタ４１１２が一体化された光源装置本体４１１と、平行化レンズ４１２と、ランプハウジング４１３とを備えて構成される。
光源ランプ４１１１としては、ハロゲンランプやメタルハライドランプ、または高圧水銀ランプが用いられることが多い。
リフレクタ４１１２としては、光源ランプ４１１１から放射された光束を所定位置に収束するように反射する楕円面リフレクタを用いている。なお、リフレクタ４１１２としては、楕円面リフレクタの他、光源ランプ４１１１から射出された光束を略平行化して反射するパラボラリフレクタを用いてもよい。この場合には、リフレクタ４１１２の光射出前方側に配置される平行化レンズ４１２を省略できる。
【００２７】
平行化レンズ４１２は、リフレクタ４１１２にて反射された収束光を略平行化して射出する。
ランプハウジング４１３は、光源装置本体４１１および平行化レンズ４１２を支持固定するとともに光学部品用筐体４６に接続し、光源装置本体４１１および平行化レンズ４１２を光学部品用筐体４６に対する所定位置（光源装置４１から射出される光束の中心軸と光学部品用筐体４６内に設定された照明光軸Ａとが一致する位置）に位置決めする。
なお、光源装置４１の具体的な構成については、後述する。
【００２８】
均一照明光学装置４２は、光源装置４１から射出された光束を、光学装置４５を構成する後述する液晶パネルの画像形成領域に略均一に照明するための光学系である。この均一照明光学装置４２は、図６に示すように、第１レンズアレイ４２１と、第２レンズアレイ４２２と、偏光変換素子４２３と、重畳レンズ４２４とを備える。
第１レンズアレイ４２１は、入射光軸方向から見て略矩形状の輪郭を有する第１小レンズが、入射光軸に対し略直交する面内においてマトリクス状に配列された構成を有している。各第１小レンズは、光源装置４１から射出される光束を複数の部分光束に分割している。
第２レンズアレイ４２２は、第１レンズアレイ４２１と略同様な構成を有しており、第２小レンズがマトリクス状に配列された構成を有している。この第２レンズアレイ４２２は、重畳レンズ４２４とともに、第１レンズアレイ４２１の各第１小レンズの像を光学装置４５の後述する液晶パネル上に結像させる機能を有している。
【００２９】
偏光変換素子４２３は、第２レンズアレイ４２２と重畳レンズ４２４との間に配置され、第２レンズアレイ４２２からの光を略１種類の偏光光に変換するものである。
具体的に、偏光変換素子４２３によって略１種類の偏光光に変換された各部分光は、重畳レンズ４２４によって最終的に光学装置４５の後述する液晶パネル上にほぼ重畳される。偏光光を変調するタイプの液晶パネルを用いたプロジェクタでは、１種類の偏光光しか利用できないため、ランダムな偏光光を発する光源装置４１からの光の略半分を利用できない。このため、偏光変換素子４２３を用いることで、光源装置４１からの射出光を略１種類の偏光光に変換し、光学装置４５での光の利用効率を高めている。
【００３０】
色分離光学装置４３は、図６に示すように、２枚のダイクロイックミラー４３１，４３２と、反射ミラー４３３とを備え、ダイクロイックミラー４３１，４３２により均一照明光学装置４２から射出された複数の部分光束を、赤、緑、青の３色の色光に分離する機能を有している。
リレー光学装置４４は、図６に示すように、入射側レンズ４４１、リレーレンズ４４３、および反射ミラー４４２，４４４を備え、色分離光学装置４３で分離された赤色光を光学装置４５の後述する赤色光用の液晶パネルまで導く機能を有している。
【００３１】
この際、色分離光学装置４３のダイクロイックミラー４３１では、均一照明光学装置４２から射出された光束の青色光成分が反射するとともに、赤色光成分と緑色光成分とが透過する。ダイクロイックミラー４３１によって反射した青色光は、反射ミラー４３３で反射し、フィールドレンズ４２５を通って光学装置４５の後述する青色光用の液晶パネルに達する。
このフィールドレンズ４２５は、第２レンズアレイ４２２から射出された各部分光束をその中心軸（主光線）に対して平行な光束に変換する。他の緑色光用、赤色光用の液晶パネルの光束入射側に設けられたフィールドレンズ４２５も同様である。
【００３２】
ダイクロイックミラー４３１を透過した赤色光と緑色光のうちで、緑色光はダイクロイックミラー４３２によって反射し、フィールドレンズ４２５を通って光学装置４５の後述する緑色光用の液晶パネルに達する。一方、赤色光はダイクロイックミラー４３２を透過してリレー光学装置４４を通り、さらにフィールドレンズ４２５を通って光学装置４５の後述する赤色光用の液晶パネルに達する。
なお、赤色光にリレー光学装置４４が用いられているのは、赤色光の光路の長さが他の色光の光路の長さよりも長いため、光の発散等による光の利用効率の低下を防止するためである。すなわち、入射側レンズ４４１に入射した部分光束をそのまま、フィールドレンズ４２５に伝えるためである。
【００３３】
光学装置４５は、図６に示すように、光変調装置としての３枚の液晶パネル４５１（赤色光用の液晶パネルを４５１Ｒ、緑色光用の液晶パネルを４５１Ｇ、青色光用の液晶パネルを４５１Ｂとする）と、これら液晶パネル４５１の光束入射側および光束射出側にそれぞれ配置される入射側偏光板４５２および射出側偏光板４５３と、クロスダイクロイックプリズム４５４とを備える。
【００３４】
入射側偏光板４５２は、色分離光学装置４３で分離された各色光のうち、偏光変換素子４２３で揃えられた偏光方向と略同一方向の偏光方向を有する偏光光のみ透過させ、その他の光束を吸収するものであり、具体的な図示は省略するが、透光性基板上に偏光膜が貼付されて構成されている。
液晶パネル４５１は、一対の透明ガラス基板に電気光学物質である液晶が密閉封入された構成を有し、画像情報に応じて画像形成領域内にある前記液晶の配向状態を制御し、入射側偏光板４５２から射出された偏光光束の偏光方向を変調する。
射出側偏光板４５３は、入射側偏光板４５２と略同様の構成を有し、液晶パネル４５１の画像形成領域から射出された光束のみ透過させ、その他の光束を吸収する。
【００３５】
クロスダイクロイックプリズム４５４は、射出側偏光板４５３から射出された色光毎に変調された光学像を合成してカラー画像を形成する。このクロスダイクロイックプリズム４５４は、４つの直角プリズムを貼り合わせた平面視略正方形状をなし、直角プリズム同士を貼り合わせた界面には、２つの誘電体多層膜が形成されている。これら誘電体多層膜は、液晶パネル４５１Ｇから射出され射出側偏光板４５３を介した色光を透過し、液晶パネル４５１Ｒ，４５１Ｂから射出され各射出側偏光板４５３を介した各色光を反射する。このようにして、各色光が合成されてカラー画像が形成される。そして、クロスダイクロイックプリズム４５４で形成されたカラー画像は、上述した投射レンズ３によりスクリーンに拡大投射される。
【００３６】
光学部品用筐体４６は、図６に示すように、平面視略Ｌ字形状を有し、内部に所定の照明光軸Ａが設定され、上述した各光学部品４１〜４５を照明光軸Ａに対する所定位置に配置する。この光学部品用筐体４６は、具体的な図示は省略したが、部品収納部材４６１（図６、図１１参照）と、蓋状部材とを備える。
部品収納部材４６１は、＋Ｙ軸方向側（上方側）に開口部４６１１（図１１参照）を有する容器状に形成され、開口部４６１１を介して、ランプハウジング４１３と接続する一端側から順に各光学部品４２，４３が収納配置され、前記一端側と反対側の他端側に光学装置４５が収納配置される。
この部品収納部材４６１において、ランプハウジング４１３と接続する一端側には、光源装置４１を−Ｙ軸方向側（下方側）から支持するための２つの光源装置支持部４６１２（図１１参照）が形成されている。
前記蓋状部材は、部品収納部材４６１の＋Ｙ軸方向側の開口部４６１１を閉塞する部材であり、部品収納部材４６１の平面形状と略同一の平面形状を有する。
【００３７】
〔冷却装置の構成〕
冷却装置５は、プロジェクタ１内部を冷却する装置である。
なお、以下では、冷却装置５のうち、光源装置４１を冷却する構成を主に説明し、光学ユニット４における光源装置４１を除く他の部材（例えば、液晶パネル４５１等）、電源ユニット６、制御基板７等を冷却する構成については説明を省略する。
冷却装置５は、図５に示すように、冷却ファンとしての排気ファン５１を含んで構成されている。
排気ファン５１は、図５に示すように、空気の吸入方向と空気の吐出方向とが同一となる軸流ファンで構成され、光源装置４１の光射出後方側において、空気を吸入する吸入口５１１が光源装置４１側に向き、空気を吐出する吐出口５１２が外装筺体２に形成された排気口２１７，２２１に対向するように配置される。そして、排気ファン５１は、制御基板７による制御の下、駆動することで、光源装置４１近傍の空気等、外装筺体２内部の空気を吸入して、排気口２１７，２２１を介して外装筺体２外部に排出する。
なお、排気ファン５１は、光源装置４１と一体化するものである。この一体化する構造については、光源装置４１の具体的な構成を説明する際に、同時に説明する。
【００３８】
〔電源ユニットの構成〕
電源ユニット６は、プロジェクタ１を構成する各構成部材（例えば、光源ランプ４１１１、制御基板７等）に電力を供給するものであり、光学ユニット４のＬ字内側部分に配設される。この電源ユニット６は、図５に示すように、図示しない電源ケーブルを通して外部から供給された電力を前記各構成部材に供給する電源ブロック６１と、電源ブロック６１から供給された電力に基づいて光源ランプ４１１１を点灯させるランプ駆動ブロック６２とを備える。これら電源ブロック６１およびランプ駆動ブロック６２は、図５に示すように、Ｘ軸方向に交差する各端部側が開口された筒状部材６１Ａ，６２Ａによって周囲をそれぞれ覆われている。そして、各筒状部材６１Ａ，６２Ａは、電源ブロック６１およびランプ駆動ブロック６２内部においてＸ軸方向に空気を流通させるダクトとしての機能を有する。各筒状部材６１Ａ，６２Ａを介して流通した空気は、外装筺体２に形成された排気口２１７，２２１を介して外装筺体２外部に排出される。
なお、筒状部材６１Ａ，６２Ａとしては、種々の部材を採用でき、例えば、絶縁性を有する部材や、アルミニウム等の金属性の部材等が例示できる。
【００３９】
〔制御基板の構成〕
制御基板７は、ＣＰＵ(Central Processing Unit)等の回路素子が実装された回路基板として構成され、図５に示すように、光学ユニット４の＋Ｙ軸方向側に配設される。そして、制御基板７は、光学ユニット４（光源ランプ４１１１、液晶パネル４５１）、冷却装置５（排気ファン５１）、電源ユニット６等を駆動制御する。
【００４０】
〔光源装置の詳細な構成〕
図７ないし図１０は、光源装置４１の構成を示す図である。具体的に、図７は、排気ファン５１が一体化された光源装置４１を−Ｚ軸方向側から見た斜視図である。図８は、排気ファン５１が一体化された光源装置４１を＋Ｚ軸方向側から見た斜視図である。図９は、光源装置４１および排気ファン５１を−Ｚ軸方向側から見た分解斜視図である。図１０は、排気ファン５１が一体化された光源装置４１をＸＹ平面で切断し、＋Ｚ軸方向側から見た断面図である。
光源装置４１は、図７ないし図１０に示すように、排気ファン５１と接続して一体化するように構成される。
光源装置４１を構成するランプハウジング４１３は、光源装置本体４１１および平行化レンズ４１２を内部に収納配置し、これら各部材４１１，４１２を光学部品用筐体４６に対する所定位置に設置する。このランプハウジング４１３は、図７ないし図１０に示すように、第３ハウジング部としてのインナーハウジング４１４と、アウターハウジング４１５とを備える。
【００４１】
インナーハウジング４１４は、射出成型等により形成された成形品であり、光源装置本体４１１および平行化レンズ４１２を支持し、これら各部材４１１，４１２を一体化する。なお、以下では、説明の便宜上、光源装置本体４１１、平行化レンズ４１２、およびインナーハウジング４１４を一体化したユニットを、ランプユニット４１０とする。このインナーハウジング４１４は、図７ないし図１０に示すように、第３ハウジング本体４１４１と、延出部４１４２と、一対の固定部４１４３とで構成される。
【００４２】
第３ハウジング本体４１４１は、光源装置本体４１１および平行化レンズ４１２を支持する部分であり、＋Ｘ軸方向に延出する平面視矩形枠状（筒状）に形成されている。
より具体的に、第３ハウジング本体４１４１は、図１０に示すように、−Ｘ軸方向側に位置する第１筒状部４１４１Ａと、＋Ｘ軸方向側に位置し第１筒状部４１４１Ａよりも径寸法の小さい第２筒状部４１４１Ｂとが段差部４１４１Ｃを介して一体的に形成されたものであり、段差部４１４１Ｃにリフレクタ４１１２の＋Ｘ軸方向端部が当接する。そして、ばね部材４１４１Ｄ（図９）にてリフレクタ４１１２の＋Ｘ軸方向端部を段差部４１４１Ｃに向けて付勢することで、リフレクタ４１１２（光源装置本体４１１）が第３ハウジング本体４１４１に支持固定され、第３ハウジング本体４１４１の−Ｘ軸方向側の枠状開口部分が光源装置本体４１１（光源ランプ４１１１およびリフレクタ４１１２）により閉塞される。
【００４３】
この第３ハウジング本体４１４１において、＋Ｘ軸方向側の枠状開口部分には、図７ないし図１０に示すように、内側に突出し、平行化レンズ４１２を支持固定する平行化レンズ支持部４１４１Ｅが形成されている。そして、平行化レンズ支持部４１４１Ｅに平行化レンズ４１２が支持固定されることで、第３ハウジング本体４１４１の＋Ｘ軸方向側の枠状開口部分が平行化レンズ４１２により閉塞される。
以上のように、第３ハウジング本体４１４１に光源装置本体４１１および平行化レンズ４１２を支持固定した状態では、図１０に示すように、第３ハウジング本体４１４１、光源装置本体４１１、および平行化レンズ４１２で囲まれた第１の空間Ａ１が形成される。
【００４４】
また、この第３ハウジング本体４１４１において、Ｚ軸方向両端面には、図９に示すように、第１の空間Ａ１内外に空気を流通するための開口部４１４１Ｆがそれぞれ形成されている。なお、図９では、−Ｚ軸方向端面に形成された開口部４１４１Ｆのみを図示しているが、＋Ｚ軸方向端面にも同様の開口部が形成されているものとする。
そして、＋Ｚ軸方向端面に形成された開口部周縁部分には、図９に示すように、＋Ｚ軸方向に突出する導入ダクト４１４１Ｇが形成されている。
導入ダクト４１４１Ｇは、Ｙ軸方向から見て平面視略扇形状を有し、導入口４１４１Ｇ１が＋Ｘ軸方向に向くように形成されている。すなわち、導入口４１４１Ｇ１を介して導入ダクト４１４１Ｇ内部に導入された空気は、導入ダクト４１４１Ｇにより−Ｘ軸方向から−Ｚ軸方向へと略９０°曲折して流通し、第３ハウジング本体４１４１の＋Ｚ軸方向端面に形成された開口部を介して第１の空間Ａ１内に導入される。そして、第３ハウジング本体４１４１の−Ｚ軸方向端面に形成された開口部４１４１Ｆは、第１の空間Ａ１内部の空気を外部に排出する排出口として機能する。
【００４５】
延出部４１４２は、図９に示すように、第３ハウジング本体４１４１の−Ｘ軸方向端部の＋Ｙ軸方向端部から−Ｘ軸方向に延出し、ランプユニット４１０を組み立てた状態で、リフレクタ４１１２（光源装置本体４１１）の＋Ｙ軸方向側（プロジェクタ１を通常の状態で設置した際に、光源装置４１の自重が掛かる方向と逆方向側）を覆う板体から構成される。この延出部４１４２は、ランプユニット４１０を組み立てた状態で、リフレクタ４１１２の平面視での外形形状に対応して、図９に示すように、−Ｘ軸方向側の一対の角部分が面取りされ、Ｙ軸方向から見て略半円形状を有している。
この延出部４１４２において、＋Ｙ軸方向端面の＋Ｘ軸方向側には、図７ないし図１０に示すように、＋Ｙ軸方向に突出し、利用者により把持可能とする取っ手４１４２Ａが形成されている。すなわち、利用者は、光源装置本体４１１を交換する際には、図２または図３に示すように、アッパーケース２１からランプ交換用蓋体２１４を取り外し、取っ手４１４２Ａを把持して、ランプユニット４１０を外装筺体２内部から取り外す。また、新品のランプユニット４１０（新品の光源装置本体４１１）を外装筺体２内部に配置する際には、取っ手４１４２Ａを把持して、外装筺体２内部に配置する。
【００４６】
図１１は、ランプユニット４１０が光学部品用筐体４６に支持固定された状態を示す斜視図である。
一対の固定部４１４３は、図９または図１１に示すように、第３ハウジング本体４１４１の＋Ｘ軸方向端部において、＋Ｙ軸方向端部のＸ軸方向両側から＋Ｘ軸方向にそれぞれ延出するように形成されている。また、一対の固定部４１４３の＋Ｘ軸方向先端側には、図９に示すように、光学部品用筐体４６に固定するための固定用孔４１４３Ａがそれぞれ形成されている。
そして、図１１に示すように、一対の固定部４１４３の−Ｙ軸方向端面を２つの光源装置支持部４６１２の＋Ｙ軸方向端面に当接し、各固定用孔４１４３Ａを介して一対の固定ねじ４１４４を各光源装置支持部４６１２に螺合することで、ランプユニット４１０が光学部品用筐体４６に支持固定される。この状態では、光源装置４１から射出される光束の中心軸と光学部品用筐体４６内に設定された照明光軸Ａとが一致した状態となる。
【００４７】
アウターハウジング４１５は、図７ないし図１０に示すように、ランプユニット４１０を囲むように配設されるとともに、排気ファン５１と接続する。このアウターハウジング４１５は、図７ないし図１０に示すように、第１ハウジング部４１６と、第２ハウジング部４１７とを備える。
第１ハウジング部４１６は、図７ないし図１０に示すように、ランプユニット４１０における−Ｘ軸方向側（光射出後方側）およびＺ軸方向に互いに対向する両端面側を平面的に覆う平面視略コ字形状を有し、光軸に略直交する方向（Ｙ軸方向）からランプユニット４１０をコ字状内側部分に挿通可能とする。この第１ハウジング部４１６は、図７ないし図１０に示すように、後方側壁部４１６１と、一対の対向側壁部４１６２（＋Ｚ軸方向側の対向側壁部を４１６２Ａ、−Ｚ軸方向側の対向側壁部を４１６２Ｂとする）と、光射出前方側壁部４１６３とを備える。
【００４８】
後方側壁部４１６１は、図７ないし図１０に示すように、ＸＺ平面に直交する板状部であり、ランプユニット４１０における−Ｘ軸方向側を平面的に覆う部分である。この後方側壁部４１６１は、図７ないし図９に示すように、インナーハウジング４１４の延出部４１４２の平面形状（リフレクタ４１１２の＋Ｙ軸方向側の平面形状）に対応して、Ｙ軸方向から見て略円弧形状を有する。
この後方側壁部４１６１において、＋Ｘ軸方向に延出する両端部側には、図９に示すように、表裏を貫通し、インナーハウジング４１４およびアウターハウジング４１５にて囲まれる後述する第４の空間Ａ４内の空気を外部に排出するための開口部４１６１Ａ（図９），４１６１Ｂ（図１３参照）がそれぞれ形成されている。
【００４９】
また、この後方側壁部４１６１において、＋Ｙ軸方向端部側には、図７ないし図１０に示すように、円弧状内側に向けてＸＺ平面に沿って突出し、光源装置４１を組み立てた状態で、インナーハウジング４１４の延出部４１４２の外周端部に近接して配置される突出部４１６１Ｃが形成されている。この突出部４１６１Ｃは、光源装置４１を組み立てた状態で、インナーハウジング４１４およびアウターハウジング４１５にて囲まれる後述する第４の空間Ａ４内の空気が延出部４１４２および後方側壁部４１６１間の隙間を介して外部に漏れることを防止している。
さらに、この後方側壁部４１６１において、突出部４１６１Ｃの＋Ｙ軸方向側には、図７ないし図１０に示すように、表裏を貫通し、ランプユニット４１０の＋Ｙ軸方向側に形成される後述する第５の空間Ａ５の空気を−Ｘ軸方向側に流通させるスリット状の複数の開口部４１６１Ｄが形成されている。
【００５０】
一対の対向側壁部４１６２は、図７ないし図１０に示すように、ＸＹ平面に沿って延出する板状部であり、後方側壁部４１６１における＋Ｘ軸方向に延出する両端部に接続してＸ軸方向に沿って延出し、ランプユニット４１０におけるＺ軸方向に互いに対向する両端面側をそれぞれ平面的に覆う部分である。
これら一対の対向側壁部４１６２において、後方側壁部４１６１の接続部分から−Ｘ軸方向に延出する部位４１６２Ｃ，４１６２Ｄは、図７または図８に示すように、その先端部分が排気ファン５１の吸入口５１１のＺ軸方向両端部側に接続し、ダクト部としての機能を有する。すなわち、ダクト部４１６２Ｃ，４１６２Ｄは、後述する第１の空間Ａ１、第２の空間Ａ２、第３の空間Ａ３、第４の空間Ａ４、第５の空間Ａ５からアウターハウジング４１５の−Ｘ軸方向側に流通した空気を排気ファン５１に導く部分である。
【００５１】
また、一対の対向側壁部４１６２のうち、＋Ｚ軸方向側の対向側壁部４１６２Ａの＋Ｘ軸方向端部には、図８に示すように、＋Ｚ軸方向に膨出し、光源装置４１を組み立てた状態で、インナーハウジング４１４の導入ダクト４１４１Ｇの＋Ｚ軸方向側を覆う膨出部４１６２Ｅが形成されている。
【００５２】
光射出前方側壁部４１６３は、図７ないし図９に示すように、ＸＺ平面に直交する板状部であり、一対の対向側壁部４１６２における＋Ｘ軸方向側端部間を接続し、光源装置４１を組み立てた状態で、インナーハウジング４１４の＋Ｘ軸方向側でかつ＋Ｙ軸方向側に位置する。そして、光射出前方側壁部４１６３は、具体的な図示は省略するが、光源装置４１を光学部品用筐体４６に設置した状態で、光学部品用筐体４６の＋Ｙ軸方向側に位置するように配設される。
この光射出前方側壁部４１６３には、図７ないし図９に示すように、表裏を貫通し、ランプユニット４１０の＋Ｙ軸方向側に形成される後述する第５の空間Ａ５に空気を導入させるスリット状の複数の開口部４１６３Ａが形成されている。
【００５３】
以上説明した第１ハウジング部４１６は、各部位４１６１〜４１６３の＋Ｙ軸方向端部（第２ハウジング部４１７に離間する側の端部）が略面一となり、プロジェクタ１を組み立てた状態で、図２または図３に示すように、＋Ｙ軸方向端部がインナーハウジング４１４の＋Ｙ軸方向端面（取っ手４１４２Ａを除く）よりも＋Ｙ軸方向側に位置し、外装筺体２におけるランプ交換用開口部２１３Ａ周縁に近接配置される。
なお、第１ハウジング部４１６における＋Ｙ軸方向端部とランプ交換用開口部２１３Ａとは、当接するように構成してもよく、あるいは、所定の間隔が空くように構成してもよい。所定の間隔が空くように構成した場合には、第１ハウジング部４１６における＋Ｙ軸方向端部とランプ交換用開口部２１３Ａとの隙間を介して光源装置４１以外の他の領域に人の指を挿入不可能な間隔（例えば、４ｍｍ以下）に設定することが好ましい。
すなわち、蓋体設置用凹部２１３にランプ交換用蓋体２１４を取り付け、ランプ交換用蓋体２１４にてランプ交換用開口部２１３Ａを閉塞した状態では、ランプ交換用蓋体２１４（板体２１４１Ａの裏面、一対のリブ２１４１Ｂ，２１４１Ｃ間）、第１ハウジング部４１６における＋Ｙ軸方向端部、インナーハウジング４１４の＋Ｙ軸方向端面で囲まれた第５の空間Ａ５（図２、図３）が形成される。
また、上述した第１ハウジング部４１６は、各部位４１６１，４１６２の−Ｙ軸方向端部（第２ハウジング部４１７に近接する側の端部）もまた略面一となるように設定されている。
【００５４】
第２ハウジング部４１７は、図７ないし図１０に示すように、ランプユニット４１０における第１ハウジング部４１６への挿通方向（Ｙ軸方向）に交差する端面側（−Ｙ軸方向端面側）を平面的に覆う平面形状を有し、第１ハウジング部４１６に接続する。この第２ハウジング部４１７は、図９に示すように、板状部４１７１と、一対の接続部４１７２（＋Ｚ軸方向側の接続部を４１７２Ａ、−Ｚ軸方向側の接続部を４１７２Ｂとする）とを備える。
板状部４１７１は、図９または図１０に示すように、ＸＺ平面に沿って延出する板状部であり、ランプユニット４１０（リフレクタ４１１２）における−Ｙ軸方向側を平面的に覆う部分である。この板状部４１７１の−Ｘ軸方向側は、図９に示すように、インナーハウジング４１４の延出部４１４２の平面形状（リフレクタ４１１２の−Ｙ軸方向側の平面形状）に対応して、Ｙ軸方向から見て略半円形状を有する。
【００５５】
この板状部４１７１において、−Ｘ軸方向側には、図９または図１０に示すように、表裏を貫通し、インナーハウジング４１４およびアウターハウジング４１５にて囲まれる後述する第２の空間Ａ２の空気を外部に排出するための複数の開口部４１７１Ａが形成されている。
また、この板状部４１７１において、半円形状の外周端部には、図９または図１０に示すように、第１ハウジング部４１６に向けて＋Ｙ軸方向に突出する起立片４１７１Ｂが形成されている。この起立片４１７１Ｂは、図９に示すように、＋Ｘ軸方向に延出する両端部が接続部４１７２に接続するとともに、突出方向高さ寸法が一対の接続部４１７２の高さ寸法（板状部４１７１から高さ寸法）よりも小さくなるように設定されている。
そして、板状部４１７１は、図１０に示すように、光源装置４１を組み立てた状態で、−Ｘ軸方向端部が第１ハウジング部４１６の後方側壁部４１６１よりも＋Ｘ軸方向側にずれた位置に配設され、後方側壁部４１６１の−Ｙ軸方向端部と起立片４１７１Ｂの＋Ｙ軸方向端部との間に、Ｙ軸方向に沿ってアウターハウジング４１５内外を貫通した空気流通開口部４１５Ａが形成される。
【００５６】
なお、本実施形態では、後方側壁部４１６１の−Ｙ軸方向端部と、起立片４１７１Ｂの＋Ｙ軸方向端部とは、図１０に示すように、後方側壁部４１６１の−Ｙ軸方向端部が起立片４１７１Ｂの＋Ｙ軸方向端部よりも＋Ｙ軸方向側に位置するように形成されていたが、これに限らない。後方側壁部４１６１の−Ｙ軸方向端部と起立片４１７１Ｂの＋Ｙ軸方向端部との間にＹ軸方向に沿ってアウターハウジング４１５内外を貫通した空気流通開口部４１５Ａが形成されれば、後方側壁部４１６１の−Ｙ軸方向端部と起立片４１７１Ｂの＋Ｙ軸方向端部とがＹ軸方向に同一位置に位置するように構成してもよく、後方側壁部４１６１の−Ｙ軸方向端部が起立片４１７１Ｂの＋Ｙ軸方向端部よりも−Ｙ軸方向側に位置するように構成しても構わない。
【００５７】
一対の接続部４１７２は、板状部４１７１におけるＺ軸方向両端部側にそれぞれ立設され、略面一（板状部４１７１からの高さ寸法が略同一）の＋Ｙ軸方向端部にて第１ハウジング部４１６における一対の対向側壁部４１６２の−Ｙ軸方向端部に接続する。そして、一対の接続部４１７２は、起立片４１７１Ｂにおける＋Ｘ軸方向に延出する両端部にそれぞれ接続し、光源装置４１を組み立てた状態で、起立片４１７１Ｂとともにランプユニット４１０のＺ軸方向に対向する両端面側、および−Ｘ軸方向側を平面的に囲うように配設される。
これら一対の接続部４１７２において、−Ｘ軸方向側には、図９に示すように、−Ｘ軸方向に沿ってそれぞれ延出し、排気ファン５１に接続するファン接続部４１７２Ｃ，４１７２Ｄがそれぞれ形成されている。
【００５８】
より具体的に、排気ファン５１の吸入口５１１側の端面には、図９に示すように、四隅角部分に排気ファン５１を所定位置に固定するための固定用孔５１３がそれぞれ形成されている。また、一対のファン接続部４１７２Ｃ，４１７２Ｄの先端部分には、図９に示すように、固定用孔５１３に嵌合可能とする固定用突起４１７２Ｅ，４１７２Ｆがそれぞれ形成されている。そして、第２ハウジング部４１７における一対の固定用突起４１７２Ｅ，４１７２Ｆを排気ファン５１の−Ｙ軸方向側の一対の固定用孔５１３に嵌合することで、排気ファン５１が第２ハウジング部４１７（光源装置４１）に固定される。
【００５９】
以上説明した第２ハウジング部４１７は、第１ハウジング部４１６と接続した状態で、複数の固定部４１７３（図７〜図９）を介して、ねじ等により外装筺体２のロアーケース２２の底面に固定される。
そして、プロジェクタ１を組み立てた状態では、第２ハウジング部４１７の板状部４１７１は、図１０に示すように、ランプユニット４１０の−Ｙ軸方向側に対して所定の間隔を空けて配設され、ランプユニット４１０の−Ｙ軸方向側、および第２ハウジング部４１７（板状部４１７１、起立片４１７１Ｂ、一対の接続部４１７２）で囲まれた第２の空間Ａ２が形成される。
【００６０】
また、プロジェクタ１を組み立てた状態では、インナーハウジング４１４を構成する第３ハウジング本体４１４１の−Ｚ軸方向端面、第１ハウジング部４１６の対向側壁部４１６２Ｂ、第２ハウジング部４１７の板状部４１７１および接続部４１７２Ｂで囲まれた第３の空間Ａ３（図１２参照）が形成される。
さらに、プロジェクタ１を組み立てた状態では、図１０に示すように、光源装置本体４１１の光射出後方側に、リフレクタ４１１２の−Ｘ軸方向側、インナーハウジング４１４の延出部４１４２、第１ハウジング部４１６（後方側壁部４１６１、一対の対向側壁部４１６２）、および第２ハウジング部４１７で囲まれた第４の空間Ａ４が形成される。
【００６１】
〔光源装置の冷却構造〕
次に、上述した光源装置４１の冷却構造を図面に基づいて説明する。
図１２ないし図１４は、光源装置４１の冷却構造を説明するための図である。なお、図１２では、説明の便宜上、第１ハウジング部４１６の一部（対向側壁部４１６２Ｂ等）や第２ハウジング部４１７の一部（ファン接続部４１７２Ａ等）を省略している。また、図１４では、説明の便宜上、ランプユニット４１０を省略している。
排気ファン５１が駆動すると、図１０、図１２ないし図１４に示すように、第１の空気流通路Ｃ１、第２の空気流通路Ｃ２、第３の空気流通路Ｃ３、第４の空気流通路Ｃ４、第５の空気流通路Ｃ５、および蓋体空気流通路Ｃ６を辿って空気が流通する。
【００６２】
具体的に、第１の空気流通路Ｃ１では、以下に示すように、空気が流通する。
すなわち、図１２に示すように、光源装置４１の＋Ｘ軸方向側の空気がインナーハウジング４１４の導入口４１４１Ｇ１を介して導入ダクト４１４１Ｇにて導かれ、第３ハウジング本体４１４１の＋Ｚ軸方向端面に形成された開口部を介して第１の空間Ａ１に導入される。第１の空間Ａ１内に導入された空気は、光源ランプ４１１１に対して水平方向（−Ｚ軸方向）に送風され、光源ランプ４１１１やリフレクタ４１１２の＋Ｘ軸方向側（反射面等）を冷却する。冷却後の空気は、図１２に示すように、第３ハウジング本体４１４１の−Ｚ軸方向端面に形成された排出口４１４１Ｆを介して第１の空間Ａ１から第３の空間Ａ３に排出される。
【００６３】
また、第２の空気流通路Ｃ２では、以下に示すように、空気が流通する。
すなわち、ランプユニット４１０の−Ｙ軸方向側に形成された第２の空間Ａ２の空気は、図１０または図１３に示すように、−Ｘ軸方向側に向けて流通し、第２ハウジング部４１７の複数の開口部４１７１Ａを介して第２の空間Ａ２外部（板状部４１７１の−Ｙ軸方向側）に排出される。第２の空間Ａ２外部に排出された空気は、排気ファン５１により吸入され、排気口２１７，２２１を介して外装筺体２外部に排出される。そして、第２の空気流通路Ｃ２を辿って空気が流通することで、ランプユニット４１０の−Ｙ軸方向側（リフレクタ４１１２の−Ｙ軸方向側、第３ハウジング本体４１４１の−Ｙ軸方向側）や、第２ハウジング部４１７が冷却される。
【００６４】
また、第３の空気流通路Ｃ３では、以下に示すように、空気が流通する。
すなわち、第３の空間Ａ３の空気（例えば、第１の空間Ａ１から排出口４１４１Ｆを介して流出した空気）は、図１２または図１３に示すように、−Ｘ軸方向側に向けて流通し、第４の空間Ａ４に流通する。
【００６５】
また、第４の空気流通路Ｃ４では、以下に示すように、空気が流通する。
すなわち、第４の空間Ａ４の空気（例えば、第３の空間Ａ３から流通した空気）は、図１２または図１３に示すように、後方側壁部４１６１に形成された開口部４１６１Ａ，４１６１Ｂや、アウターハウジング４１５が有する空気流通開口部４１５Ａを介して第４の空間Ａ４外部（アウターハウジング４１５の−Ｘ軸方向側）に排出される。第４の空間Ａ４外部に排出された空気は、排気ファン５１により吸入され、排気口２１７，２２１を介して外装筺体２外部に排出される。そして、第４の空気流通路Ｃ４を辿って空気が流通することで、ランプユニット４１０の−Ｘ軸方向側（リフレクタ４１１２の−Ｘ軸方向側（反射面と反対側の面等）が冷却される。
【００６６】
また、第５の空気流通路Ｃ５では、以下に示すように、空気が流通する。
すなわち、図１２または図１４に示すように、光源装置４１の＋Ｘ軸方向側の空気が第１ハウジング部４１６の複数の開口部４１６３Ａを介して、第５の空間Ａ５に導入される。第５の空間Ａ５に導入された空気は、図１２または図１４に示すように、−Ｘ軸方向側に向けて流通し、第１ハウジング部４１６の複数の開口部４１６１Ｄを介して第５の空間Ａ５外部（第１ハウジング部４１６の−Ｘ軸方向側）に排出される。第５の空間Ａ５外部に排出された空気は、排気ファン５１により吸入され、排気口２１７，２２１を介して外装筺体２外部に排出される。そして、第５の空気流通路Ｃ５を辿って空気が流通することで、ランプ交換用蓋体２１４や、ランプユニット４１０の＋Ｙ軸方向側（インナーハウジング４１４を構成する第３ハウジング本体４１４１および延出部４１４２の＋Ｙ軸方向側）が冷却される。
【００６７】
また、蓋体空気流通路Ｃ６では、以下に示すように、空気が流通する。
すなわち、図４または図１２に示すように、第５の空気流通路Ｃ５を辿って第５の空間Ａ５に導入された空気の一部は、導入口Ｃ６Ａ（図４）を介して第６の空間Ａ６（図４）に導入され、−Ｘ軸方向に流通し、排出口Ｃ６Ｂを介して第６の空間Ａ６外部に排出される。第６の空間Ａ６外部に排出された空気は、排気ファン５１により吸入され、排気口２１７，２２１を介して外装筺体２外部に排出される。そして、蓋体空気流通路Ｃ６を辿って空気が流通することで、熱緩衝部材２１４２や蓋体本体２１４１等が冷却される。
【００６８】
上述した本実施形態によれば、以下の効果がある。
本実施形態では、アウターハウジング４１５において、第２ハウジング部４１７の板状部４１７１は、光源装置４１を組み立てた状態で、−Ｘ軸方向端部が第１ハウジング部４１６の後方側壁部４１６１よりも＋Ｘ軸方向側にずれた位置に配設される。このことにより、第１ハウジング部４１６および第２ハウジング部４１７の２体を組み合わせるだけで、アウターハウジング４１５（第４の空間Ａ４）内外に空気を流通可能とする空気流通開口部４１５Ａを容易に構成できる。そして、空気流通開口部４１５Ａを介して第４の空間Ａ４内外に空気を流通させることで、アウターハウジング４１５内部の光源装置本体４１１（光源ランプ４１１１およびリフレクタ４１１２）を効率的に冷却できる。
【００６９】
また、空気流通開口部４１５Ａは、第１ハウジング部４１６の後方側壁部４１６１と第２ハウジング部４１７の起立片４１７１Ｂとがずれた状態で接続することにより形成された隙間であり、第１ハウジング部４１６へのランプユニット４１０の挿通方向（Ｙ軸方向）に沿ってアウターハウジング４１５内外に貫通するように構成される。すなわち、空気流通開口部４１５Ａは、光源装置本体４１１から射出される光束の光軸に略平行した開口として構成される（光源装置本体４１１から射出される光束の光軸に沿ってアウターハウジング４１５外部から空気流通開口部４１５Ａを見た場合にアウターハウジング４１５内部が見えないように構成される）。このことにより、光源装置本体４１１から射出された光束の一部は、空気流通開口部４１５Ａの周縁部分（後方側壁部４１６１および起立片４１７１Ｂ）にて遮光されることとなり、空気流通開口部４１５Ａを介してアウターハウジング４１５外部に漏れることがない。すなわち、排気口２１７，２２１等を介して、外装筺体２外部に光が漏れることを防止でき、投影画像を観賞する観賞者に不快感を与えるおそれがない。
したがって、アウターハウジング４１５を第１ハウジング部４１６および第２ハウジング部４１７の２体の簡素な構造としつつ、光源装置本体４１１を効率的に冷却でき、かつ、外部への漏れ光を防止できる。
【００７０】
さらに、第１ハウジング部４１６は、プロジェクタ１を組み立てた状態で、＋Ｙ軸方向端部がランプ交換用開口部２１３Ａ周縁に近接配置されている。このことにより、例えば、ランプユニット４１０を交換する際等において、ランプ交換用蓋体２１４を蓋体設置用凹部２１３から取り外した状態で、ランプ交換用開口部２１３Ａを介して、外装筐体２外部から外装筺体２内部における光源装置４１以外の部材に塵埃等が入り込むことを防止できる。また、上記の状態で、利用者が、外装筺体２内部における光源装置４１以外の部材に手を触れることを防止でき、光源装置４１以外の部材に手を触れることによるプロジェクタ１の不具合を防止できる。さらに、プロジェクタ１の駆動時において、光源装置４１以外の領域から、ランプ交換用開口部２１３Ａおよびランプ交換用蓋体２１４に向かう光を第１ハウジング部４１６にて遮光でき、ランプ交換用開口部２１３Ａおよびランプ交換用蓋体２１４の隙間からプロジェクタ１外部に光が漏れることを防止できる。
【００７１】
また、ランプ交換用蓋体２１４は、蓋体本体２１４１および熱緩衝部材２１４２を備えているので、光源装置本体４１１からランプ交換用蓋体２１４への放射熱を熱緩衝部材２１４２が受けることとなり、蓋体本体２１４１への熱の伝達を抑制できる。
さらに、ランプ交換用蓋体２１４は、蓋体本体２１４１および熱緩衝部材２１４２に所定の隙間が設定され、該隙間を介して空気を流通可能とする蓋体空気流通路Ｃ６を有する。このことにより、蓋体空気流通路Ｃ６を辿って空気を流通させることで、光源装置本体４１１からの放射熱により温度が上昇した熱緩衝部材２１４２を冷却することができるとともに、熱緩衝部材２１４２から伝達された熱による蓋体本体２１４１の温度上昇も効果的に低減できる。
【００７２】
さらにまた、排気ファン５１は、光源装置４１の−Ｘ軸方向側で空気流通開口部４１５Ａ近傍に配設され、空気流通開口部４１５Ａを介して第４の空間Ａ４の空気を吸入して吐出する。このことにより、排気ファン５１により空気流通開口部４１５Ａを介して第４の空間Ａ４の空気を吸入して吐出することで、光源装置本体４１１により温められた空気が第４の空間Ａ４に滞留することがなく、光源装置本体４１１を良好に冷却できる。
また、蓋体空気流通路Ｃ６は、排気ファン５１における空気の吸入方向に沿う方向に空気を流通可能に形成されている。このことにより、排気ファン５１により空気流通開口部４１５Ａを介して第４の空間Ａ４の空気を吸入するとともに、蓋体空気流通路Ｃ６を辿って空気を流通させることができ、光源装置本体４１１およびランプ交換用蓋体２１４の双方を一括して冷却できる。
【００７３】
さらに、ランプハウジング４１３は、第１ハウジング部４１６および第２ハウジング部４１７で構成されるアウターハウジング４１５の他、導入口４１４１Ｇ１および排出口４１４１Ｆを有する筒状の第３ハウジング本体４１４１、および延出部４１４２を有するインナーハウジング４１４を備える。そして、アウターハウジング４１５は、インナーハウジング４１４により光源装置本体４１１および平行化レンズ４１２が一体化されたランプユニット４１０の−Ｘ軸方向側、Ｚ軸方向に対向する両端面側、および−Ｙ軸方向側を平面的に覆うように形成されている。このことにより、アウターハウジング４１５、およびインナーハウジング４１４における延出部４１４２によって、光源装置本体４１１を囲み、光源装置本体４１１から射出された光束の一部がランプハウジング４１３外部に漏れることを確実に防止できる。また、第３ハウジング本体４１４１は、導入口４１４１Ｇ１を介して内部の第１の空間Ａ１に空気を流通させ、排出口４１４１Ｆを介して第１の空間Ａ１の空気を外部に排出できるので、第１の空間Ａ１に配置される光源ランプ４１１１、およびリフレクタ４１１２の光射出前方側を第１の空気流通路Ｃ１を辿って流通する空気により効率的に冷却できる。さらに、インナーハウジング４１４がアウターハウジング４１５により覆われているので、第１の空間Ａ１から排出口４１４１Ｆを介して排出された空気を、第３の空気流通路Ｃ３および第４の空気流通路Ｃ４を辿って第３の空間Ａ３から第４の空間Ａ４に流通させ空気流通開口部４１５Ａや開口部４１６２Ａ，４１６２Ｂを介してランプハウジング４１３外部に排出できる。すなわち、アウターハウジング４１５をダクトとして機能させ、第１の空間Ａ１から排出口４１４１Ｆを介して排出された空気を所定位置（空気流通開口部４１５Ａや開口部４１６２Ａ，４１６２Ｂ）に導くことができ、別途、ダクト部材を設ける必要がない。
【００７４】
また、空気流通開口部４１５Ａは、アウターハウジング４１５における−Ｘ軸方向側（光射出後方側）の部位に形成されている。すなわち、空気流通開口部４１５Ａは、光源装置本体４１１におけるリフレクタ４１１２の−Ｘ軸方向側に位置する。このことにより、第１の空気流通路Ｃ１を辿って空気を流通させることで光源ランプ４１１１とリフレクタ４１１２の＋Ｘ軸方向側（反射面等）とを良好に冷却できるとともに、第３の空気流通路Ｃ３や第４の空気流通路Ｃ４を辿って空気流通開口部４１５Ａや開口部４１６２Ａ，４１６２Ｂを介して第４の空間Ａ４の空気をランプハウジング４１３外部に排出することでリフレクタ４１１２の−Ｘ軸方向側（反射面と反対側の面等）を良好に冷却できる。したがって、光源装置本体４１１をより効率的に冷却できる。
【００７５】
また、本実施形態では、光源装置４１内部、および光源装置４１周辺には、第１の空気流通路Ｃ１、第３の空気流通路Ｃ３、第４の空気流通路Ｃ４、および蓋体空気流通路Ｃ６の他、第２の空気流通路Ｃ２および第５の空気流通路Ｃ５が設定されているので、ランプユニット４１０の−Ｙ軸方向側、第２ハウジング部４１７、ランプ交換用蓋体２１４、およびランプユニット４１０の＋Ｙ軸方向側をさらに冷却でき、光源装置４１やランプ交換用蓋体２１４をさらに一層効率的に冷却できる。
【００７６】
さらに、第２ハウジング部４１７には起立片４１７１Ｂが形成されている。また、空気流通開口部４１５Ａは、第１ハウジング部４１６の後方側壁部４１６１と第２ハウジング４１７の起立片４１７１Ｂとがずれた状態で接続することにより形成された隙間で構成される。このことにより、例えば起立片４１７１Ｂを設けない構成と比較して、光源装置本体４１１から射出される光束の光軸に近接した位置に空気流通開口部４１５Ａを位置付けることができ、第４の空間Ａ４の空気が滞留することなくリフレクタ４１１２の光射出後方側の全領域に亘る空気を空気流通開口部４１５Ａを介して第４の空間Ａ４外部に効率的に排出することができ、光源装置本体４１１をさらに一層効率的に冷却できる。
以上のように、光源装置４１の冷却効率の向上が図れるため、プロジェクタ１の駆動停止後の一定期間、排気ファン５１等を駆動させて光源装置４１を冷却するクールダウンを実施する必要がなく、プロジェクタ１の静音化が図れる。
【００７７】
なお、本発明は前述の実施形態に限定されるものではなく、本発明の目的を達成できる範囲での変形、改良等は本発明に含まれるものである。
前記実施形態では、空気流通開口部４１５Ａは、アウターハウジング４１５における−Ｘ軸方向側（光射出後方側）の部位に形成されていたが、これに限らない。すなわち、第１ハウジング部４１６における第２ハウジング部４１７に近接する側の端部の一部が第２ハウジング部４１７に対して光源装置本体４１１から離間する方向にずれた位置に位置付けられることで空気流通開口部４１５Ａが形成されていれば、その形成位置は、特に限定されず、アウターハウジング４１５の＋Ｚ軸方向側の部位に形成してもよく、あるいは、−Ｚ軸方向側の部位に形成しても構わない。第２ハウジング部４１７における起立片４１７１Ｂの形成位置も同様である。
同様に、排気ファン５１は、アウターハウジング４１５における−Ｘ軸方向側に配設されていたが、その配設位置は、特に限定されない。例えば、空気流通開口部４１５Ａの形成位置を上述したようにアウターハウジング４１５の＋Ｚ軸方向側の部位あるいは−Ｚ軸方向側の部位に形成した場合には、空気流通開口部４１５Ａの形成位置に対応した位置に配置することが好ましい。
【００７８】
また、前記実施形態では、後方側壁部４１６１が平板状に形成され起立片４１７１Ｂに対して−Ｘ軸方向側にずれた位置に位置付けられることで、空気流通部４１５Ａが形成されていた。しかしながら、上述したように、空気流通開口部４１５Ａとしては第１ハウジング部４１６（後方側壁部４１６１）における第２ハウジング部４１７に近接する側の端部の一部が第２ハウジング部４１７に対して光源装置本体４１１から離間する方向にずれた位置に位置付けられることで形成されればよく、例えば、後方側壁部４１６１として、第２ハウジング部４１７に近接する側の端部が光源装置本体４１１から離間する方向にずれた段付形状を有する構成を採用しても構わない。
前記実施形態では、熱緩衝部材２１４２は金属材料で構成された板体であったが、これに限らず、耐熱性の高いＰＰＳ(ポリフェニレンサルファイド)等のプラスチック材を採用してもよい。
【００７９】
前記実施形態では、色合成光学装置としてクロスダイクロイックプリズム４５４を採用していたが、これに限らず、ダイクロイックミラーを複数用いることで各色光を合成する構成を採用してもよい。
前記実施形態では、光学ユニット４は、平面視略Ｌ字形状を有するように形成されていたが、この平面形状は、いずれの形状でもよく、例えば、平面視略Ｕ字形状を有するように形成しても構わない。
前記実施形態において、リフレクタ４１１２としてパラボラリフレクタを用い平行化レンズ４１２を省略した場合には、インナーハウジング４１４における平行化レンズ支持部４１４１Ｅに透光性部材（防爆ガラス）を配設することが好ましい。
【００８０】
前記実施形態では、プロジェクタ１は、液晶パネル４５１を３つ備える三板式のプロジェクタで構成していたが、これに限らず、液晶パネルを１つ備える単板式のプロジェクタで構成しても構わない。また、液晶パネルを２つ備えるプロジェクタや、液晶パネルを４つ以上備えるプロジェクタとして構成しても構わない。
前記実施形態では、光入射面と光射出面とが異なる透過型の液晶パネルを用いていたが、光入射面と光射出面とが同一となる反射型の液晶パネルを用いてもよい。
前記実施形態では、光変調装置として液晶パネルを用いていたが、マイクロミラーを用いたデバイスなど、液晶以外の光変調装置を用いてもよい。この場合は、光束入射側および光束射出側の偏光板４５２，４５３は省略できる。
前記実施形態では、スクリーンを観察する方向から投射を行うフロントタイプのプロジェクタの例のみを挙げたが、本発明は、スクリーンを観察する方向とは反対側から投射を行うリアタイプのプロジェクタにも適用可能である。
【産業上の利用可能性】
【００８１】
本発明のプロジェクタは、簡素な構造で、光源装置を効率的に冷却でき、かつ、外部への漏れ光を防止できるため、プレゼンテーションやホームシアタに用いられるプロジェクタとして利用できる。
【図面の簡単な説明】
【００８２】
【図１】本実施形態におけるプロジェクタの外観を示す斜視図。
【図２】前記実施形態におけるランプ交換用蓋体をアッパーケースから取り外した状態を拡大した斜視図。
【図３】前記実施形態におけるランプ交換用蓋体をアッパーケースから取り外した状態を拡大した斜視図。
【図４】前記実施形態におけるランプ交換用蓋体の構成を示す斜視図。
【図５】前記実施形態におけるプロジェクタの内部構成を示す図。
【図６】前記実施形態における光学ユニットの光学系を模式的に示す平面図。
【図７】前記実施形態における光源装置の構成を示す図。
【図８】前記実施形態における光源装置の構成を示す図。
【図９】前記実施形態における光源装置の構成を示す図。
【図１０】前記実施形態における光源装置の構成を示す図。
【図１１】前記実施形態におけるランプユニットが光学部品用筐体に支持固定された状態を示す斜視図。
【図１２】前記実施形態における光源装置の冷却構造を説明するための図。
【図１３】前記実施形態における光源装置の冷却構造を説明するための図。
【図１４】前記実施形態における光源装置の冷却構造を説明するための図。
【符号の説明】
【００８３】
１・・・プロジェクタ、２・・・外装筺体、３・・・投射レンズ（投射光学装置）、４１・・・光源装置、５１・・・排気ファン（冷却ファン）、２１３Ａ・・・ランプ交換用開口部、２１４・・・ランプ交換用蓋体、４１１・・・光源装置本体、４１３・・・ランプハウジング、４１４・・・インナーハウジング（第３ハウジング部）、４１５Ａ・・・空気流通開口部、４１６・・・第１ハウジング部、４１７・・・第２ハウジング部、４５１・・・液晶パネル（光変調装置）、２１４１・・・蓋体本体、２１４２・・・熱緩衝部材、４１１１・・・光源ランプ、４１１２・・・リフレクタ、４１４１・・・第３ハウジング本体、４１４１Ｇ１・・・導入口、４１４１Ｆ・・・排出口、４１６１・・・後方側壁部、４１６２・・・対向側壁部、４１７１Ｂ・・・起立片、Ａ１・・・空間、Ｃ６・・・蓋体空気流通路。
【図１】
2008076861.tif 000003
【図２】
2008076861.tif 000004
【図３】
2008076861.tif 000005
【図４】
2008076861.tif 000006
【図５】
2008076861.tif 000007
【図６】
2008076861.tif 000008
【図７】
2008076861.tif 000009
【図８】
2008076861.tif 000010
【図９】
2008076861.tif 000011
【図１０】
2008076861.tif 000012
【図１１】
2008076861.tif 000013
【図１２】
2008076861.tif 000014
【図１３】
2008076861.tif 000015
【図１４】
2008076861.tif 000016